(57)【要約】【課題】ボタン操作により下皿から上皿へパチンコ球を揚げることができ、その送りが重力に逆らう方向であるにもかかわらず円滑に行われるパチンコ遊戯台における下皿から上皿への返球装置を提供する。【解決手段】上皿に不足した球を下皿から補給し得るよう、球の送りスクリューが内装された昇球筒を装備し、昇球筒内には、スクリュー羽根の間に挟まる球が上下動可能のみに係合する案内凹路を設けてあって、案内凹路の下端部に下皿からの球の入口が、上端部に上皿への出口がそれぞれ開口され、下皿に前記入口に転がり込ませる球を送り出す戻し口をボタン操作により開閉できるように設けた。【選択図】    図１
2004201776.tif 000002
【特許請求の範囲】
【請求項１】
発射ハンドルの操作により打たれるよう球が待機されるととともに賞球が排出される上皿と、上皿に溜められた球を落下させる受皿としての下皿とが配設されたパチンコ遊戯台において、上皿に不足した球を下皿から補給し得るよう、球の送りスクリューが内装された昇球筒を装備し、昇球筒内には、スクリュー羽根の間に挟まる球が上下動可能のみに係合する案内凹路を設けてあって、案内凹路の下端部に下皿からの球の入口が、上端部に上皿への出口がそれぞれ開口され、下皿に前記入口に転がり込ませる球を送り出す戻し口をボタン操作により開閉できるように設けたことを特徴とするパチンコ遊戯台における下皿から上皿への返球装置
【請求項２】
下皿に明けられる戻し口から昇球筒の入口にかけて、パチンコ遊戯台の裏側に迂回するシュートを設け、シュートの裏側部に球の溜り箇所を設けたことを特徴とする請求項１記載のパチンコ遊戯台における下皿から上皿への返球装置。
【請求項３】
送りスクリューを筒状の中空に形成してその中に駆動モータを内装し、駆動モータを昇球筒に対して固定し、出力軸を送りスクリューに固定すると共に昇球筒に対して回転可能に支承したことを特徴とする請求項１または２記載のパチンコ遊戯台における下皿から上皿への返球装置。
【発明の詳細な説明】
【０００１】
【発明の属する技術分野】
この発明は、パチンコ遊戯台における下皿から上皿への返球装置に関する。
【０００２】
【従来の技術】
パチンコ遊戯台では、打球を待機させるとともに賞球が排出される上皿と、上皿に溜まりすぎた球をボタン操作により落下させて溜めおく下皿とが配設されている。そして、右手による発射ハンドル操作により上皿の球が順次打球に供せられるが、賞球に恵まれないために、上皿に球の貯留量が乏しくなったときには、左手を使って下皿からその上皿へ球が補充される。
【０００３】
下皿はこのように上皿の受皿であると同時に予備皿とも言えるものであるが、予備以上に溜まった時にそれを排出するために、下皿には球の落下口が設けられており、ボタン操作によりその落下口を開いて景品換え用の玉箱に余剰球を落とし得るようになっている。
【０００４】
【発明が解決しようとする課題】
上記のように従来のパチンコ遊戯台においては、ボタン操作による球の運びは、上皿から下皿へ、下皿から玉箱へというように、上から下への自然落下方向に限られていたので、上皿に球が乏しくなったときに左手による玉の補充が煩わしく感じられ、また、その際に手から球が床にこぼれ落ちることもあるというように不都合があった。
【０００５】
そこで、遊技者は、下皿に溜まった球を上げてまで積極的に遊技に回す気持ちから遠のくために、景品に換える玉箱に落とし込むことになりがちであったが、こうした傾向は、パチンコ球の遊戯への循環に欠けることになるという問題があった。つまり、あっさりと景品に換えないでもっと遊んでほしい、というパチンコ店の希望に沿わなかった。
【０００６】
この発明は、上記のような実情に鑑みて、ボタン操作により下皿から上皿へパチンコ球を揚げることができ、その送りが重力に逆らう方向であるにもかかわらず円滑に行われるパチンコ遊戯台における下皿から上皿への返球装置を提供することを目的とした。
【０００７】
【課題を解決するための手段】
上記の目的を達成するために、この発明は、発射ハンドルの操作により打たれるよう球が待機されるととともに賞球が排出される上皿と、上皿に溜められた球を落下させる受皿としての下皿とが配設されたパチンコ遊戯台において、上皿に不足した球を下皿から補給し得るよう、球の送りスクリューが内装された昇球筒を装備し、昇球筒内には、スクリュー羽根の間に挟まる球が上下動可能のみに係合する案内凹路を設けてあって、案内凹路の下端部に下皿からの球の入口が、上端部に上皿への出口がそれぞれ開口され、下皿に前記入口に転がり込ませる球を送り出す戻し口をボタン操作により開閉できるように設けたことを特徴とするパチンコ遊戯台における下皿から上皿への返球装置を構成した。
【０００８】
【作用】
上記の構成によれば、上皿にパチンコ球が乏しくなったときに、下皿に貯留球があるときには、ボタン操作により戻し口を開くと、それが昇球筒の入口に転がり込んで送りスクリューに繰り込まれると同時に、案内凹路に案内されながら送りスクリューの羽根の送りにより出口に至りそこから上皿に排出される。
【０００９】
仮に、案内凹路を設けないで、スクリューのみの送りによるときには、球がスクリューの回りを言わば公転して送りが遅くなるか転がり落ちる。しかも、自転により球と球とが横面で接触し激しく擦り合って互いに干渉し、これが原因で目詰まりがしてスクリューが停止するトラブルが生じたり、コンピュータ制御を狂わせる静電気の発生を招ことがある。これに対して、この発明によるときには、案内凹路に係合することにより公転が阻止され、各球が自転をしてもそれが同軸上に縦に並ぶ回転であるため、球と球とが接触しても擦り合うこともなく、案内凹路に沿って円滑に送り上げられる。なお、スクリュー羽根の厚みにより球と球とが接触しないようにすることもできる。
【００１０】
【発明の実施の形態】
この発明においては、下皿２に貯留される球５を上皿１に戻すために、戻し口９をボタン７の操作により開くと、球５が昇球筒１１の入口１４に転がり込み、送りスクリュー１２の羽根の間に繰り込まれることによって、確実に昇球がなされることになるが、戻し口９と入口１４とが同じ位置程度に接近していても良いし、その間にシュート１３を設けても良い。
【００１１】
シュート１３を設けるときには、その中途に球５の溜まり箇所２６を設け（請求項２）、戻し口９を一旦開いて一挙にそこに球５を溜めておくことにすれば、以後シュート１３が空になるまで返球装置Ｒが作動して、上皿１に返球されることになるので、操作が簡単となり遊技する上で好都合である。この点に関して送りスクリュー１２の回転については、常時回転が継続する形態の他に、必要な時間自動的に継続する制御形態がある。なおスクリュー１２にはパチンコ球５のゴミが付着しやすいので、その洗浄装置を設けておくことが望ましい。
【００１２】
送りスクリュー１２の回転がモータ２５によるときには、その設置場所（スペース）を取ることが難しいことになるが、送りスクリュー１２に内装することにより（請求項３）、その問題を解決することができる。
【００１３】
【発明の効果】
以上説明したように、この発明によれば、ボタン操作により下皿から上皿へパチンコ球を自動的に揚げることができ、その送りが重力に逆らう方向であるにもかかわらず円滑に行われるため、上皿に球が乏しくなったときの補充を容易になしながら遊技の楽しみを快適に堪能でき、また、上皿への球の補充の煩雑さがなくなるために、パチンコ店の意に沿うように持ち球を遊技に回す率が多くなるという優れた効果がある。
【００１４】
【実施例】
次に、この発明の実施例を図面に基づいて説明する。
【００１５】
図１ないし図３は、一実施例を示したもので、パチンコ遊戯台Ｐには、下皿２の球５を上皿１に移す返球装置Ｒが設けられている。その他の点については、従来とほぼ同様であって、発射ハンドル３の操作により、上皿１では球５が発射に供されることにより賞球が排出され、また、多くなった賞球がボタン６の操作により上皿１から下皿２に排出され、さらにボタン８の操作により下皿２の球５が落下口１０から玉箱に排出される。
【００１６】
返球装置Ｒは、玉箱への排出を心理的に抑制するもので、下皿２に過剰に球５が貯留されているときにおいて、上皿１に球５が乏しくなってきたときに、ボタン７を操作すると、下皿２の戻し口９が開くとともに、返球装置Ｒの作動により、下皿２の球５が上皿１に戻されてそこに球が再び蓄えられる。
【００１７】
返球装置Ｒは、下皿２および上皿１の左端部に昇球筒１１を貫通したもので、昇球筒１１の下端部に入口１４を、上端部に上皿１への出口１５をそれぞれ設け、下皿２の戻し口９から入口１４の間に管状のシュート１３を接続し、管状シュート１３により昇球筒１１内に送り込まれた球５が送りスクリュー１２により上皿１に揚げられるようになっている。
【００１８】
送りスクリュー１２が球５を確実に繰り上げるようにするために、昇球筒１１の内部には一側が張り出すようにして球５が係合する案内凹路１７が設けられ、これにより送りスクリュー１２の羽根の間に納まる球５が回動を阻止されることによりその羽根で送り上げられる。
【００１９】
送りスクリュー１２を支持するために、上下両端にベアリング１９，２０を設け、上端のベアリング１９が昇球筒１１の上端に固着されているが、下端のベアリング２０が特別に設けた支持部材２１に取り付けられる。また、送りスクリュー１２の軸には従動傘歯車２３が取り付けられ、それが減速機付き駆動モータ２５の軸上の原動傘歯車２４と噛合している。
【００２０】
図４ないし図６は他の実施例を示したもので、この場合は、シュート１３をパチンコ遊戯台Ｐの裏側に回る迂回形状に形成し、裏側に球５の溜まり箇所２６を設けた。したがって、戻し口９が下皿２の背面壁の下端に明けられ、昇球筒１１には球５が裏側から送り込まれるようになっている。この場合、戻し口９を一旦開いて一挙に溜まり箇所２６に球５を溜めておけば、以後、駆動モータ２５の回転により、溜まりがなくなるまで昇球される。
【００２１】
図７および図８はさらに他の実施例を示したもので、上記の両実施例では、モータ２５が昇球筒１１の外部に設けられるが、送りスクリュー１２を筒形にすることによってその内部に設けた。これについては、送りスクリュー１２の上端にモータ２５の固定片２７を取り付け、下端には軸受２９を設け、モータ２５の支軸３０を固定片２７に固定することによりモータ２５を昇球筒１１と一体になす一方、出力軸３１を送りスクリュー１２に固定するとともに軸受２９に支承したので、送りスクリュー１２が出力軸３１と一体に回転する。なお、固定片２７には、球５が上から抜ける切欠を設けて上方への出口１５となっている。
【図面の簡単な説明】
【図１】この発明に係るパチンコ遊戯台を一部切欠して示す斜視図である。
【図２】同パチンコ遊戯台における下皿から上皿への返球装置の概略を示す縦断面図である。
【図３】図２のＡ−Ａ線矢視の断面図である。
【図４】他の実施例を示すパチンコ遊戯台の側面から見た断面図である。
【図５】同パチンコ遊戯台を正面から見た断面図である。
【図６】同パチンコ遊戯台を平面から見た断面図である。
【図７】さらに他の実施例を示す返球装置の縦断面図である。
【図８】同返球装置の平面図である。
【符号の説明】
Ｐ  パチンコ遊戯台
Ｒ  返球装置
１  上皿
２  下皿
３  発射ハンドル
５  球
７  ボタン
９  戻し口
１１  昇球筒
１２  送りスクリュー
１３  シュート
１４  入口
１５  出口
１７  案内凹路
２５  駆動モータ
２６  溜まり箇所
３１  出力軸
【図１】
2004201776.tif 000003
【図２】
2004201776.tif 000004
【図３】
2004201776.tif 000005
【図４】
2004201776.tif 000006
【図５】
2004201776.tif 000007
【図６】
2004201776.tif 000008
【図７】
2004201776.tif 000009
【図８】
2004201776.tif 000010